(57)【特許請求の範囲】
【請求項１】
第１の番組情報、および、前記第１の番組情報より再送周期が長い第２の番組情報をビデオ信号およびオーディオ信号に多重化して、送信する情報送信装置において、
前記第２の番組情報を送信しているか否かを示す送信状態情報を含んだ前記第１の番組情報を生成する番組情報データ生成手段と、
符号化された前記ビデオ信号および符号化された前記オーディオ信号に、前記番組情報データ生成手段が生成した前記第１の番組情報を多重化する多重化手段と
を備えることを特徴とする情報送信装置。
【請求項２】
前記第１の番組情報は、現在および次の番組に関する番組情報であり、
前記第２の番組情報は、所定の期間の番組放送予定を示す番組情報である
ことを特徴とする請求項１に記載の情報送信装置。
【請求項３】
前記送信状態情報は、前記第２の番組情報のID、および、前記送信状態情報のバージョンをさらに含む
ことを特徴とする請求項１に記載の情報送信装置。
【請求項４】
第１の番組情報、および、前記第１の番組情報より再送周期が長い第２の番組情報をビデオ信号およびオーディオ信号に多重化して、送信する情報送信方法において、
前記第２の番組情報を送信しているか否かを示す送信状態情報を含んだ前記第１の番組情報を生成する番組情報データ生成ステップと、
符号化された前記ビデオ信号および符号化された前記オーディオ信号に、前記番組情報データ生成ステップで生成した前記第１の番組情報を多重化する多重化ステップと
を備えることを特徴とする情報送信方法。
【請求項５】
第１の番組情報、および、前記第１の番組情報より再送周期が長い第２の番組情報をビデオ信号およびオーディオ信号に多重化して、送信する情報送信装置に、
前記第２の番組情報を送信しているか否かを示す送信状態情報を含んだ前記第１の番組情報を生成する番組情報データ生成ステップと、
符号化された前記ビデオ信号および符号化された前記オーディオ信号に、前記番組情報データ生成ステップで生成した前記第１の番組情報を多重化する多重化ステップと
を含む処理を実行させるコンピュータが読み取り可能なプログラムを提供することを特徴とする記録媒体。
【請求項６】
第１の番組情報、および、前記第１の番組情報より再送周期が長い第２の番組情報が多重化されたビデオ信号およびオーディオ信号を受信する情報受信装置において、
前記ビデオ信号および前記オーディオ信号に多重化された前記第１の番組情報を分離する分離手段と、
前記分離手段が分離した前記第１の番組情報に含まれる、前記第２の番組情報を送信しているか否かを示す送信状態情報を抽出する抽出手段と
を備えることを特徴とする情報受信装置。
【請求項７】
前記第１の番組情報は、現在および次の番組に関する番組情報であり、
前記第２の番組情報は、所定の期間の番組放送予定を示す番組情報である
ことを特徴とする請求項６に記載の情報受信装置。
【請求項８】
前記送信状態情報は、前記第２の番組情報のID、および、前記送信状態情報のバージョンをさらに含む
ことを特徴とする請求項６に記載の情報受信装置。
【請求項９】
未取得の前記送信状態情報、および、バージョンが更新された前記送信状態情報を記憶するように制御する記憶制御手段を
さらに備えることを特徴とする請求項６に記載の情報受信装置。
【請求項１０】
第１の番組情報、および、前記第１の番組情報より再送周期が長い第２の番組情報が多重化されたビデオ信号およびオーディオ信号を受信する情報受信方法において、
前記ビデオ信号および前記オーディオ信号に多重化された前記第１の番組情報を分離する分離ステップと、
前記分離ステップで分離した前記第１の番組情報に含まれる、前記第２の番組情報を送信しているか否かを示す送信状態情報を抽出する抽出ステップと
を含むことを特徴とする情報受信方法。
【請求項１１】
第１の番組情報、および、前記第１の番組情報より再送周期が長い第２の番組情報が多重化されたビデオ信号およびオーディオ信号を受信する情報受信装置に、
前記ビデオ信号および前記オーディオ信号に多重化された前記第１の番組情報を分離する分離ステップと、
前記分離ステップで分離した前記第１の番組情報に含まれる、前記第２の番組情報を送信しているか否かを示す送信状態情報を抽出する抽出ステップと
を含む処理を実行させるコンピュータが読み取り可能なプログラムを提供することを特徴とする記録媒体。
【請求項１２】
第１の番組情報、および、前記第１の番組情報より再送周期が長い第２の番組情報をビデオ信号およびオーディオ信号に多重化して、送信する情報送信装置と、前記ビデオ信号および前記オーディオ信号を受信する情報受信装置からなる放送システムにおいて、
前記情報送信装置が、
前記第２の番組情報を送信しているか否かを示す送信状態情報を含んだ前記第１の番組情報を生成する番組情報データ生成手段と、
符号化された前記ビデオ信号および符号化された前記オーディオ信号に、前記番組情報データ生成手段が生成した前記第１の番組情報を多重化する多重化手段と
を備え、
前記情報受信装置が、
前記ビデオ信号および前記オーディオ信号に多重化された前記第１の番組情報を分離する分離手段と、
前記分離手段が分離した前記第１の番組情報に含まれる前記送信状態情報を抽出する抽出手段と
を備えることを特徴とする放送システム。
【発明の詳細な説明】
【０００１】
【発明の属する技術分野】
本発明は、情報送信装置および方法、情報受信装置および方法、記録媒体、並びに放送システムに関し、特に、番組情報の伝送状態を知ることができるようにした情報送信装置および方法、情報受信装置および方法、記録媒体、並びに放送システムに関する。
【０００２】
【従来の技術】
デジタル放送システムにおいて、番組情報を提供するEPG(Electronic Program Guide)データは、DVB/SI(Digital Video Broadcasting/Service Information:EN300468)の規定により、EIT(Event Information Table)の形式に基づき構成され、他のサービス情報(SI:Services Information)と共に、トランスポートストリーム(Transport Stream)に多重化される。
【０００３】
図７は、EITの構成例を示す図である。EITは、大別すると、現在および次の番組のEPGデータ、および、数時間または数日間の番組放送予定を示すスケジュールのEPGデータにより構成されている。現在および次の番組のEPGデータは、更に、自局のデータ、および他局のデータから構成される。番組放送予定を示すスケジュールのEPGデータは、異なる長さの所定の期間に対応した自局の複数のスケジュールのデータ、および異なる長さの所定の期間に対応した他局の複数のスケジュールのデータから、構成される。これらのEPGデータは、それぞれ固有のテーブルID(identification code)を有し、それぞれの再送周期を有する。現在および次の番組のEPGデータの再送周期は、数秒程度で、比較的短い周期を有する。これに対し、番組放送予定を示すスケジュールのEPGデータの再送周期は、数分程度で、現在および次の番組のEPGデータの再送周期に比較し、長い周期を有する。
【０００４】
【発明が解決しようとする課題】
番組放送予定を示すスケジュールのEPGデータは、再送周期が長く、かつ、送信状態を示すデータがない為、送出側の機器のトラブルなどによって、番組放送予定を示すスケジュールのEPGデータの送信が途中で停止した場合、情報受信装置は、送信側の状態を判断するのに、長い時間が必要になる。
【０００５】
本発明はこのような状況に鑑みてなされたものであり、情報受信装置が、送信側の番組放送予定を示すスケジュールのEPGデータの送信状態を、短時間に知ることができるようにすることを目的とする。
【０００６】
【課題を解決するための手段】
請求項１に記載の情報送信装置は、第１の番組情報より再送周期が長い第２の番組情報を送信しているか否かを示す送信状態情報を含んだ第１の番組情報を生成する番組情報データ生成手段と、符号化されたビデオ信号および符号化されたオーディオ信号に、番組情報データ生成手段が生成した第１の番組情報を多重化する多重化手段とを備えることを特徴とする。
【０００７】
請求項４に記載の情報送信方法は、第１の番組情報より再送周期が長い第２の番組情報を送信しているか否かを示す送信状態情報を含んだ第１の番組情報を生成する番組情報データ生成ステップと、符号化されたビデオ信号および符号化されたオーディオ信号に、番組情報データ生成ステップで生成した第１の番組情報を多重化する多重化ステップとを含むことを特徴とする。
【０００８】
請求項５に記載の記録媒体は、情報送信装置に、第１の番組情報より再送周期が長い第２の番組情報を送信しているか否かを示す送信状態情報を含んだ第１の番組情報を生成する番組情報データ生成ステップと、符号化されたビデオ信号および符号化されたオーディオ信号に、番組情報データ生成ステップで生成した第１の番組情報を多重化する多重化ステップとを含む処理を実行させるコンピュータが読み取り可能なプログラムを提供することを特徴とする。
【０００９】
請求項６に記載の情報受信装置は、ビデオ信号およびオーディオ信号に多重化された第１の番組情報を分離する分離手段と、分離手段が分離した第１の番組情報に含まれる、第１の番組情報より再送周期が長い第２の番組情報を送信しているか否かを示す送信状態情報を抽出する抽出手段とを備えることを特徴とする。
【００１０】
請求項１０に記載の情報受信方法は、ビデオ信号およびオーディオ信号に多重化された第１の番組情報を分離する分離ステップと、分離ステップで分離した第１の番組情報に含まれる、第１の番組情報より再送周期が長い第２の番組情報を送信しているか否かを示す送信状態情報を抽出する抽出ステップとを含むことを特徴とする。
【００１１】
請求項１１に記載の記録媒体は、情報受信装置に、ビデオ信号およびオーディオ信号に多重化された第１の番組情報を分離する分離ステップと、分離ステップで分離した第１の番組情報に含まれる、第１の番組情報より再送周期が長い第２の番組情報を送信しているか否かを示す送信状態情報を抽出する抽出ステップとを含む処理を実行させるコンピュータが読み取り可能なプログラムを提供することを特徴とする。
【００１２】
請求項１２に記載の放送システムは、情報送信装置が、第１の番組情報より再送周期が長い第２の番組情報を送信しているか否かを示す送信状態情報を含んだ第１の番組情報を生成する番組情報データ生成手段と、符号化されたビデオ信号および符号化されたオーディオ信号に、番組情報データ生成手段が生成した第１の番組情報を多重化する多重化手段とを備え、情報受信装置が、ビデオ信号およびオーディオ信号に多重化された第１の番組情報を分離する分離手段と、分離手段が分離した第１の番組情報に含まれる送信状態情報を抽出する抽出手段とを備えることを特徴とする。
【００１３】
請求項１に記載の情報送信装置、請求項４に記載の情報送信方法、および請求項５に記載の記録媒体は、第１の番組情報より再送周期が長い第２の番組情報を送信しているか否かを示す送信状態情報を含んだ第１の番組情報を生成し、符号化されたビデオ信号および符号化されたオーディオ信号に、第１の番組情報を多重化する。
【００１４】
請求項６に記載の情報受信装置、請求項１０に記載の情報受信方法、および請求項１１に記載の記録媒体は、ビデオ信号およびオーディオ信号に多重化された第１の番組情報を分離し、第１の番組情報に含まれる、第１の番組情報より再送周期が長い第２の番組情報を送信しているか否かを示す送信状態情報を抽出する。
【００１５】
請求項１２に記載の放送システムは、情報送信装置が、第１の番組情報より再送周期が長い第２の番組情報を送信しているか否かを示す送信状態情報を含んだ第１の番組情報を生成し、符号化されたビデオ信号および符号化されたオーディオ信号に、第１の番組情報を多重化し、情報受信装置が、ビデオ信号およびオーディオ信号に多重化された第１の番組情報を分離し、第１の番組情報に含まれる送信状態情報を抽出する。
【００１６】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１７】
すなわち、請求項１に記載の情報送信装置は、第１の番組情報、および、第１の番組情報より再送周期が長い第２の番組情報をビデオ信号およびオーディオ信号に多重化して、送信する情報送信装置において、第２の番組情報を送信しているか否かを示す送信状態情報を含んだ第１の番組情報を生成する番組情報データ生成手段（例えば、図１のSI/EPGデータジェネレータ１７）と、符号化されたビデオ信号および符号化されたオーディオ信号に、番組情報データ生成手段が生成した第１の番組情報を多重化する多重化手段（例えば、図１のトランスポートストリームマルチプレクサ１４）とを備えることを特徴とする。
【００１８】
請求項６に記載の情報受信装置は、第１の番組情報、および、第１の番組情報より再送周期が長い第２の番組情報が多重化されたビデオ信号およびオーディオ信号を受信する情報受信装置において、ビデオ信号およびオーディオ信号に多重化された第１の番組情報を分離する分離手段（例えば、図２のデマルチプレクサ３２）と、分離手段が分離した第１の番組情報に含まれる、第２の番組情報を送信しているか否かを示す送信状態情報を抽出する抽出手段（例えば、図２のシステムコントローラ３８）とを備えることを特徴とする。
【００１９】
請求項１２に記載の放送システムは、第１の番組情報、および、第１の番組情報より再送周期が長い第２の番組情報をビデオ信号およびオーディオ信号に多重化して、送信する情報送信装置と、ビデオ信号およびオーディオ信号を受信する情報受信装置からなる放送システムにおいて、情報送信装置が、第２の番組情報を送信しているか否かを示す送信状態情報を含んだ第１の番組情報を生成する番組情報データ生成手段（例えば、図１のSI/EPGデータジェネレータ１７）と、符号化されたビデオ信号および符号化されたオーディオ信号に、番組情報データ生成手段が生成した第１の番組情報を多重化する多重化手段（例えば、図１のトランスポートストリームマルチプレクサ１４）とを備え、情報受信装置が、ビデオ信号およびオーディオ信号に多重化された第１の番組情報を分離する分離手段（例えば、図２のデマルチプレクサ３２）と、分離手段が分離した第１の番組情報に含まれる送信状態情報を抽出する抽出手段（例えば、図２のシステムコントローラ３８）とを備えることを特徴とする。
【００２０】
図１は、本発明の情報送信装置の一実施の形態の構成を示すブロック図である。情報送信装置１は、外部から入力された複数のビデオ信号およびオーディオ信号に基づき、TSを出力する。MPEGビデオエンコーダ１１−１は、外部から入力されたビデオ信号に基づき、ビデオエレメンタリストリームを生成し、マルチプレクサ(MUX)１３−１に出力するようになされている。MPEGビデオエンコーダ１１−２は、外部から入力されたビデオ信号に基づき、ビデオエレメンタリストリームを生成し、マルチプレクサ１３−２に出力するようになされている。
【００２１】
MPEGオーディオエンコーダ１２−１は、外部から入力されたオーディオ信号に基づき、オーディオエレメンタリストリームを生成し、マルチプレクサ(MUX)１３−１に出力するようになされている。MPEGオーディオエンコーダ１２−２は、外部から入力されたオーディオ信号に基づき、オーディオエレメンタリストリームを生成し、マルチプレクサ１３−２に出力するようになされている。
【００２２】
マルチプレクサ１３−１は、MPEGビデオエンコーダ１１−１から供給されたビデオエレメンタリストリームおよびMPEGオーディオエンコーダ１２−１から供給れたオーディオエレメンタリストリームを所定の固定長のパケットに格納して多重化し、トランスポートストリームマルチプレクサ(TSMUX）１４に出力する。マルチプレクサ１３−２は、MPEGビデオエンコーダ１１−２から供給されたビデオエレメンタリストリームおよびMPEGオーディオエンコーダ１２−２から供給れたオーディオエレメンタリストリームを所定の固定長のパケットに格納して多重化し、トランスポートストリームマルチプレクサ１４に出力する。
【００２３】
SIデータベース１５は、格納されたデータをSI/EPGデータジェネレータ１７に供給するようになされている。EPGデータベース１６は、格納されたデータをSI/EPGデータジェネレータ１７に供給するようになされている。SI/EPGデータジェネレータ１７は、SIデータベース１５およびEPGデータベース１６から供給されたデータ、並びに番組放送予定を示すスケジュールのEPGデータの送信状態を示すデータを、所定の固定長のパケットに格納し、そのパケットをトランスポートストリームマルチプレクサ１４に出力する。
【００２４】
スケジュールデータベース１８は、時刻毎の伝送するビデオデータ、オーディオデータ、およびEPGデータそれぞれの内容、伝送レート、および再送周期等のデータをシステムコントローラ１９に供給するようになされている。システムコントローラ１９は、スケジュールデータベース１８から供給されたデータに基づき、MPEGビデオエンコーダ１１−１および１１−２、並びにMPEGオーディオエンコーダ１２−１および１２−２の状態を管理し、MPEGビデオエンコーダ１１−１および１１−２、並びにMPEGオーディオエンコーダ１２−１および１２−２が出力するビデオエレメンタリストリームおよびオーディオエレメンタリストリームのビットレートを制御する。また、システムコントローラ１９は、SI/EPGデータジェネレータ１７の出力するパケット量を制御するようになされている。さらに、システムコントローラ１９は、マルチプレクサ１３−１および１３−２、ならびにトランスポートストリームマルチプレクサ１４を制御し、伝送路帯域幅に対する、ビデオデータ占有帯域、オーディオデータ占有帯域、およびEPGデータ占有帯域を制御する。
【００２５】
トランスポートストリームマルチプレクサ１４は、マルチプレクサ１３−１および１３−２、並びにSI/EPGデータジェネレータ１７から供給されたパケットを多重化し、トランスポートストリームを出力する。変調器２０は、トランスポートストリームマルチプレクサ１４から出力されたトランスポートストリームを、所定の変調方式で変調し、例えば、電波で伝送される場合はアンテナ（図示せず）に、ケーブルで伝送される場合は所定のインターフェースに出力する。
【００２６】
図２は、本発明の情報受信装置の一実施の形態の構成を示すブロック図である。情報受信装置２は、所定の伝送路から供給されたトランスポートストリームを入力し、リモートコントローラ３への操作に対応する信号に基づき、所定のビデオ信号および所定のオーディオ信号を出力する。
【００２７】
リモートコントローラ３は、情報受信装置２の使用者のチャンネルの選択等の操作に基づき、所定の赤外線の信号を、情報受信装置２のIr(Infrared rays)受信器３９に送信するようになされている。Ir受信器３９は、リモートコントローラ３から送信された赤外線の信号に対応した、所定のデータをシステムコントローラ３８に出力するようになされている。システムコントローラ３８は、使用者のチャンネルの選択の操作に基づいたパケット識別子(PID:packet identification data)のデータをデマルチプレクサ３２に供給し、使用者の表示の操作に基づいた動作を指示するデータをEPGコントローラ３５に供給するようになされている。システムコントローラ３８は、現在および次の番組のEPGデータの記述子に記述される、記番組放送予定を示すスケジュールのEPGデータの送信状態を示すデータを抽出するようになされている。
【００２８】
復調器３１は、所定の方式に変調されたトランスポートストリームを復調し、復調したトランスポートストリームをデマルチプレクサ(DEMUX)３２に供給するようになされている。デマルチプレクサ３２は、トランスポートストリームを分離し、所定のパケット識別子を有するパケットから得られたビデオエレメンタリストリームをビデオデコーダ３３に、所定のパケット識別子を有するパケットから得られたオーディオエレメンタリストリームをオーディオデコーダ３４に、EPGデータをEPGコントローラ３５に、およびSIデータをシステムコントローラ３８に供給するようになされている。
【００２９】
ビデオデコーダ３３は、入力されたビデオエレメンタリストリームをデコードし、所定の方式のビデオ信号をディスプレイコントローラ３７に出力するようになされている。オーディオデコーダ３４は、入力されたオーディオエレメンタリストリームをデコードし、オーディオ信号を外部に出力するようになされている。
【００３０】
EPGコントローラ３５は、デマルチプレクサ３２から供給されたEPGデータをEPGメモリ３６に記憶させるようになされている。EPGコントローラ３５は、システムコントローラ３８の制御に基づき、EPGメモリ３６に記憶されたデータを読み出して、所定の方式でディスプレイコントローラ３７に出力するようになされている。ディスプレイコントローラ３７は、ビデオデコーダ３３から供給された信号とEPGコントローラ３５から供給された信号に基づき、所定のビデオ信号を外部に出力するようになされている。
【００３１】
図３は、現在および次の番組のEPGデータの記述形式を定義するEITの構成を説明する図である。EITの２行目のテーブルID(table_id)から１６行目のラストテーブルID(last_table_id)までは、このEITの識別に使用されるヘッダ部分である。１８行目のイベントID(event_id)以降は、現在および次の番組に関する伝送情報が記述され、複数の番組に関する伝送情報を繰り返し記述するため、ループ構造を有する。現在および次の番組に関する伝送情報は、番組開始時間、番組長さなどからなる。２５行目の記述子(descriptor)には、番組名または番組のジャンルなど、番組に関する情報を記述することができる。
【００３２】
図４は、現在および次の番組のEPGデータの記述子に記述される、記番組放送予定を示すスケジュールのEPGデータの送信状態の記述を示す図である。番組放送予定を示すスケジュールの複数のEPGデータの状態を記述するため、２行目から６行目までは、ループ構造を有する。３行目のテーブルID(table_id)は、番組放送予定を示すスケジュールのEPGデータに対応するIDを示す。４行目のステータスフラグ(status_flag)は、”１”のとき、情報送信装置１が、該当する番組放送予定を示すスケジュールのEPGデータを送信しており、”０”のとき、送信していないことを示す。５行目のバージョンナンバ(version_number)は、情報受信装置２が、既に取得した記述子と内容が同じであるかを識別するための値を示す。
【００３３】
以上のように、情報受信装置２は、現在および次の番組のEPGデータの記述子の内容を読み出すことにより、現在および次の番組のEPGデータの再送周期で、番組放送予定を示すスケジュールのEPGデータの送信状態を知ることができる。
【００３４】
図５は、情報受信装置２の番組放送予定を示すスケジュールのEPGデータの送信状態のデータを取得する処理を説明するフローチャートである。ステップＳ１１において、システムコントローラ３８は、現在および次の番組のEPGデータの記述子を読み込む。ステップＳ１２において、システムコントローラ３８は、現在および次の番組のEPGデータの記述子に、番組放送予定を示すスケジュールのEPGデータの送信状態を示すデータが含まれているか否かを判定し、現在および次の番組のEPGデータの記述子に、番組放送予定を示すスケジュールのEPGデータの送信状態を示すデータが含まれていると判定された場合、ステップＳ１３に進み、テーブルIDおよびバージョンナンバを読み込む。
【００３５】
ステップＳ１４において、システムコントローラ３８は、ステップＳ１３にて読み込んだテーブルIDに対応する、既に取得した番組放送予定を示すスケジュールのEPGデータの送信状態に関するデータが有るか否かを判定し、既に取得した番組放送予定を示すスケジュールのEPGデータの送信状態に関するデータが有ると判定された場合、ステップＳ１５に進む。ステップＳ１５において、システムコントローラ３８は、番組放送予定を示すスケジュールのEPGデータの送信状態に関するデータに含まれるバージョンナンバとステップＳ１３で読み込んだバージョンナンバを比較し、バージョンナンバが更新されているか否かを判定し、バージョンナンバが更新されていると判定された場合、ステップＳ１６に進み、番組放送予定を示すスケジュールのEPGデータの送信状態のデータを読み込み、システムコントローラ３８内部の所定のレジスタに格納する。
【００３６】
ステップＳ１４において、既に取得した番組放送予定を示すスケジュールのEPGデータの送信状態に関するデータがないと判定された場合、ステップＳ１６に進み、システムコントローラ３８は、番組放送予定を示すスケジュールのEPGデータの送信状態のデータを読み込み、システムコントローラ３８内部の所定のレジスタに格納する。
【００３７】
ステップＳ１５において、バージョンナンバが更新されていないと判定された場合、手続は、ステップＳ１７に進む。
【００３８】
ステップＳ１７において、システムコントローラ３８は、番組放送予定を示すスケジュールのEPGデータの送信状態の送信状態を示す次のデータが含まれているか否かを判定し、番組放送予定を示すスケジュールのEPGデータの送信状態の送信状態を示す次のデータが含まれていると判定された場合、手続は、ステップＳ１３に戻り、処理を繰り返す。
【００３９】
ステップＳ１２において、現在および次の番組のEPGデータの記述子に、番組放送予定を示すスケジュールのEPGデータの送信状態の送信状態を示すデータが含まれていないと判定された場合、処理は終了する。ステップＳ１７において、番組放送予定を示すスケジュールのEPGデータの送信状態の送信状態を示す次のデータが含まれていないと判定された場合、処理は終了する。
【００４０】
以上のように、情報受信装置２は、現在および次の番組のEPGデータの記述子の内容を読み出すことにより、現在および次の番組のEPGデータの再送周期で、最新の番組放送予定を示すスケジュールのEPGデータの送信状態の送信状態を知ることができる。
【００４１】
図６は、EIT等の各テーブル情報の有り無し、EPGデータの伝送周期、およびEPGデータの更新日時等を示すSIの記述形式を定義するテーブルインフォメーションテーブル(TIT:Table Information Table)の構成を説明する図である。TITの２行目のテーブルID(table_id)から１６行目のラストテーブルID(last_table_id)までの記述は、このTITの識別に使用されるヘッダ部分を表す。１８行目のテーブルID(table_id)以降は、EITに関する伝送情報が記述され、複数のEITに関する伝送情報を繰り返し記述するため、ループ構造を有する。EITに関する伝送情報は、EITの再送周期、最終更新時刻、EITの送信状態などからなる。
【００４２】
このTITの記述形式によるSIに記述されたEITに関する伝送情報を利用することにより、情報受信装置２は、図５に示した場合と同等の処理を実行れば、番組放送予定を示すスケジュールのEPGデータの送信状態の送信状態を知ることができる。
【００４３】
以上のように、情報受信装置２は、送信側の番組放送予定を示すスケジュールのEPGデータの送信状態を、短時間に知ることができる。
【００４４】
なお、本明細書において、システムとは、複数の装置により構成される装置全体を表すものとする。
【００４５】
なお、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【００４６】
【発明の効果】
請求項１に記載の情報送信装置、請求項４に記載の情報送信方法、および請求項５に記載の記録媒体によれば、第１の番組情報より再送周期が長い第２の番組情報を送信しているか否かを示す送信状態情報を含んだ第１の番組情報を生成し、符号化されたビデオ信号および符号化されたオーディオ信号に、第１の番組情報を多重化するようにしたので、情報受信装置は、送信側の番組放送予定を示すスケジュールのEPGデータの送信状態を、短時間に知ることが可能になる。
【００４７】
請求項６に記載の情報受信装置、請求項１０に記載の情報受信方法、および請求項１１に記載の記録媒体によれば、ビデオ信号およびオーディオ信号に多重化された第１の番組情報を分離し、第１の番組情報に含まれる、第１の番組情報より再送周期が長い第２の番組情報を送信しているか否かを示す送信状態情報を抽出するようにしたので、情報受信装置は、送信側の番組放送予定を示すスケジュールのEPGデータの送信状態を、短時間に知ることが可能になる。
【００４８】
請求項１２に記載の放送システムによれば、情報送信装置が、第１の番組情報より再送周期が長い第２の番組情報を送信しているか否かを示す送信状態情報を含んだ第１の番組情報を生成し、符号化されたビデオ信号および符号化されたオーディオ信号に、第１の番組情報を多重化し、情報受信装置が、ビデオ信号およびオーディオ信号に多重化された第１の番組情報を分離し、第１の番組情報に含まれる送信状態情報を抽出するようにしたので、情報受信装置は、送信側の番組放送予定を示すスケジュールのEPGデータの送信状態を、短時間に知ることが可能になる。
【図面の簡単な説明】
【図１】本発明の情報送信装置の一実施の形態の構成を示すブロック図である。
【図２】本発明の情報受信装置の一実施の形態の構成を示すブロック図である。
【図３】現在および次の番組のEPGデータの記述形式を定義するEITの構成を説明する図である。
【図４】現在および次の番組のEPGデータの記述子に記述される、記番組放送予定を示すスケジュールのEPGデータの送信状態の記述を示す図である。
【図５】情報受信装置２の番組放送予定を示すスケジュールのEPGデータの送信状態のデータを取得する処理を説明するフローチャートである。
【図６】  SIの記述形式を定義するテーブルインフォメーションテーブルの構成を説明する図である。
【図７】  EITの構成例を示す図である。
【符号の説明】
１  情報送信装置，  ２  情報受信装置，  １４  トランスポートストリームマルチプレクサ，  １７  SI/EPGデータジェネレータ，  ３２  デマルチプレクサ，  ３８  システムコントローラ
【図１】
0004006830.tif 000002
【図２】
0004006830.tif 000003
【図３】
0004006830.tif 000004
【図４】
0004006830.tif 000005
【図５】
0004006830.tif 000006
【図６】
0004006830.tif 000007
【図７】
0004006830.tif 000008